(57)【要約】【課題】作業が容易な局内側及び作業が困難な局外側の双方で作業性のよい着脱を行うことができる光ファイバコネクタ用接続プラグ着脱工具を得る。【解決手段】光ファイバコードの終端部を収容する溝を有し、接続プラグ４の基部における少なくとも互いに対向する１対の側面に当接するとともに、フォーク状部１６を先端に有する溝付きシャンク２１と、溝付きシャンク２１の互いに対向する１対の側面でそれぞれ枢着軸１８の周りに回動自在に連結し、かつ平素はばね負荷によって先端側が互いに閉じる方向に押圧され、先端フック２３Ｂが溝付きシャンクに収容した接続プラグに設けたフック収容窪みに掛合することができるようにした１対の長尺操作レバー２３と、ロック機構２７を設けたシャンク案内部２５と、長尺操作レバー２３を摺動自在かつ半径方向回動自在に案内するレバー案内部２６を設けたグリップ部２４とを具える。【選択図】        図４
2004341418.tif 000002
【特許請求の範囲】
【請求項１】
光ファイバケーブルから分岐する個々の光ファイバコードの終端部に設けた接続プラグを固定フレームに取り付けたコネクタのラッチ付きアダプタに対して着脱するため、
前記終端部を収容する溝を有し、前記接続プラグの基部における少なくとも互いに対向する１対の側面に当接するとともに、前記ラッチを釈放側に変位させるフォーク状部を先端に有する溝付きシャンクと、
前記溝付きシャンクの互いに対向する１対の側面でそれぞれ枢着軸の周りに回動自在に連結し、かつ平素はばね負荷によって先端側が互いに閉じる方向に押圧され、先端フックが前記溝付きシャンクに収容した接続プラグの両側の側面に設けたフック収容窪みに掛合することができるようにした１対の操作レバーと、
作業員が掴むグリップ部と
を具える接続プラグ着脱工具において、
前記溝付きシャンクは長尺の延長部を有し、また前記１対の操作レバーを真っ直ぐな長尺操作レバーとし、
前記グリップ部は、前記長尺の溝付きシャンクの基部を軸線方向に摺動自在に収容しかつ伸縮状態の所定位置で前記溝付きシャンクを釈放自在にロックするロック機構を設けたシャンク案内部と、前記各長尺操作レバーの基端側を軸線方向に摺動自在にかつ前記各長尺操作レバーの枢着軸の周りの半径方向回動を可能に収容するレバー案内部を設けた
ことを特徴とする光ファイバコネクタ用接続プラグ着脱工具。
【請求項２】
前記釈放自在のロック機構は、溝付きシャンクの延長部にばね負荷によってシャンク表面から外方に突出する錠止突起と、前記シャンク案内部の先端部の近傍で前記グリップ部に設けて錠止突起を押圧する釈放ボタンとにより構成した請求項１記載の光ファイバコネクタ用接続プラグ着脱工具。
【請求項３】
前記シャンク案内部の出入口開口の前記錠止突起が掛合する端縁を面取りした請求項２記載の光ファイバコネクタ用接続プラグ着脱工具。
【発明の詳細な説明】
【０００１】
【発明の属する技術分野】
本発明は、光ファイバケーブルから分岐する個々の光ファイバコードの終端部に設けた接続プラグを、固定フレームに取り付けたコネクタのラッチ付きアダプタに対して着脱する工具に関するものである。
【０００２】
【従来の技術】
従来のこのような光ファイバコネクタ用接続プラグ着脱工具としては、図１に示したような本発明の一方の出願人によるものがある。（例えば、非特許文献１参照。）
【０００３】
【非特許文献１】
三和電気工業（株）カタログ「ＳＣ型光ファイバコネクタ／ＳＳＣｓｅｒｉｅｓ」、第４版、平成１４年７月，ｐ．１８及び２１）
【０００４】
図１の（ａ）〜（ｄ）に示すように、この接続プラグ着脱工具１は、光ファイバコード２の終端部３を収容して接続プラグ４の基部における少なくとも互いに対向する１対の側面に当接するとともに、コネクタのアダプタ５の内部に存在するラッチ（図示せず）を釈放側に変位させるフォーク状部６を先端に有する溝付きシャンク７を有する。図２に示す接続プラグ４には、光ファイバコード２の成端部を収容する。
【０００５】
更に、溝付きシャンク７の互いに対向する１対の側面でそれぞれ枢着軸８の周りに回動自在に連結し、かつ平素は、ばね９のばね負荷によって先端側が互いに閉じる方向に押圧され、先端フック１０が溝付きシャンクの対応位置に設けた溝孔１１を経て溝内部空間に突入し、この溝付きシャンク７に収容される接続プラグ４の両側の側面に設けたフック収容窪み１２（図２参照）に掛合することができるようにした１対の操作レバー１３と、接続プラグの着脱を行う作業員が掴むグリップ部１４とを有する。
【０００６】
作業にあたり、図１の（ｃ）に示すように、作業員がばね９のばね力に抗して両側にある操作レバー１３の基端側の操作部１３Ａをつまむことによって先端フック１０を外方に変位させ、溝付きシャンク７の溝内部空間に光ファイバコード２の接続プラグ４を収容する。次に、図１の（ｄ）に示すように操作レバー１３の基端側の操作部１３Ａを解放し、先端フック１０を接続プラグ４の側面のフック収容窪み１２に掛合させる。これにより、接続プラグ４をこの着脱工具にしっかり固定することができ、この状態で光ファイバコネクタのアダプタ５の受け口に対して着脱することができる。
【０００７】
着脱工具をアダプタ５の受け口に挿入するとき先端のフォーク状部６はアダプタ内部のラッチ１５を釈放側に変位させて接続プラグ４のアダプタ５に対する着脱を容易にする。図３の（ａ）及び（ｂ）にそれぞれ４連式アダプタの斜視図及び端面図を示し、図３の（ｃ）に１個のアダプタ５の一部断面とする側面図を示す。
【０００８】
接続プラグ４のアダプタ５への装着の際には、接続プラグの挿入装着後に、再度、図１の（ｃ）に示すように、両側にある操作レバー１３の基端側の操作部１３Ａをつまんでばね９のばね力に抗して先端フック１０を外方に変位させることにより、接続プラグ４をアダプタ１５に残したまま着脱工具を外すことができる。接続プラグ４をアダプタ５から取り外す際には、両側にある操作レバー１３の基端側の操作部１３Ａをつまむことなく図１の（ｄ）の状態でそのまま引き抜く。
【０００９】
【発明が解決しようとする課題】
このような光ファイバコネクタのアダプタ５は、光ファイバケーブルの中継局に配置した架台（光ＦＴＭ架）に固定するのが一般的であり、架台の両側、即ち、局内側と局外側のそれぞれに指向する受け口を有する。新規開通やＤモジュール変更のためには、架台の両側の各光ファイバケーブルから分岐した個別の光ファイバコードの成端部に設けた接続プラグをアダプタの受け口に着脱する作業が必要である。
【００１０】
このような着脱は、架台の局内側に関しては作業スペースが広く、アダプタの受け口が露出していて線番の確認も容易であり、何ら問題なく作業を行うことができる。
【００１１】
しかし、架台の局外側では、Ｄモジュール群が架台手前に存在し、これらＤモジュール群の奥にアダプタが存在するため、Ｄモジュール群の一部をはずしてずらした狭い隙間から、奥深くかつ薄暗いアダプタ受け口まで手を伸ばして着脱工具による着脱作業を行わなければならない。
【００１２】
図１に示すような従来の着脱工具１では、局外側の狭く奥深い箇所での線番確認及び着脱作業が困難であり、また、操作レバー１３の基端側の操作部１３Ａが外方に張り出しているので、特に、接続プラグの取り外し作業の際に他のコードを引っかけないよう注意深く作業しなければならず、肉体的にも、精神的にも疲労を伴う。
【００１３】
従って、本発明の目的は、作業が容易な局内側及び作業が困難な局外側の双方で作業性のよい着脱を行うことができる光ファイバコネクタ用接続プラグ着脱工具を得るにある。
【００１４】
【課題を解決するための手段】
この目的を達成するため、本発明による光ファイバコネクタ用接続プラグ着脱工具は、前記溝付きシャンクは長尺の延長部を有し、また前記１対の操作レバーを真っ直ぐな長尺操作レバーとし、前記グリップ部は、前記長尺の溝付きシャンクの基部を軸線方向に摺動自在に収容しかつ伸縮状態の所定位置で前記溝付きシャンクを釈放自在にロックするロック機構を設けたシャンク案内部と、前記各長尺操作レバーの基端側を軸線方向に摺動自在に、かつ前記各長尺操作レバーの枢着軸の周りの半径方向回動を可能に収容するレバー案内部を設けたことを特徴とする。
【００１５】
本発明によれば、架台局内側の作業のようにアダプタが露出している場合は、溝付きシャンクをグリップ部内に引っ込んだ短い状態にして作業を行い、架台局外側の作業のようにアダプタが奥深く狭い箇所に存在する場合には、溝付きシャンクをグリップ部から引き出し、伸ばした状態で作業を行う。
【００１６】
本発明の好適な実施例においては、前記釈放自在のロック機構は、溝付きシャンクの延長部にばね負荷によってシャンク表面から外方に突出する錠止突起と、シャンク案内部の先端部の近傍でグリップ部に設けて錠止突起を押圧する釈放ボタンとにより構成する。また、本発明の好適な実施例においては、シャンク案内部の出入口開口の錠止突起が掛合する端縁を面取りする。
【００１７】
【発明の実施の形態】
次に、図面につき本発明の好適な実施の形態を説明する。
【００１８】
図４の（ａ）及び（ｂ）に、本発明の好適な実施の形態である光ファイバコネクタ用接続プラグ着脱工具２１を伸張させた状態の側面図及び平面図を示し、図５の（ａ）及び（ｂ）に、収縮させた状態の側面図及び平面図を示す。
【００１９】
接続プラグ着脱工具２０における、溝付きシャンク２１は、従来の溝付きシャンク７（図１参照）よりも長尺の延長部２２を有する。この延長部２２は、図４及び図５の実施例のように従来の溝付きシャンクに個別の延長部を継ぎ足すか、又は一体構成とすることもできる。溝付きシャンク２１の先端には、フォーク状部１６を設ける。また、この溝付きシャンク２１に対して枢着軸１８の周りにばね９のばね力の下に回動自在にした１対の真っ直ぐな長尺操作レバー２３を設ける。この長尺操作レバー２３も、図４及び図５の実施例のように従来の操作レバー先端に個別の延長部を継ぎ足すか、又は一体構成とすることもできる。
【００２０】
接続プラグ着脱工具２０のグリップ部２４は、溝付きシャンク２１の延長部２２の基部を軸線方向に摺動自在に収容するシャンク案内部２５と、各長尺操作レバー２３の基端側を軸線方向に摺動自在にかつ各長尺操作レバーの枢着軸の周りの半径方向回動を可能に収容するレバー案内部２６を設ける。シャンク案内部２５には、シャンクの延長部２２を伸縮させた状態の所定位置で溝付きシャンク２１を釈放自在にロックするロック機構２７を設ける。
【００２１】
釈放自在のロック機構２７は、溝付きシャンク２１の延長部２２にばね負荷によってシャンク表面から外方に突出する錠止突起２８（ａ，ｂ）と、シャンク案内部２５の先端部の近傍でグリップ部２４に設けて錠止突起２８を押圧する釈放ボタン２９とにより構成する。この錠止突起２８はシャンクの延長部２２から抜け落ちるのを防止する構造とする。更に、シャンク案内部２６の出入り口開口の錠止突起２８が掛合する端縁を面取りし、錠止突起２８の部分が面取り部のカム作用で引っ込むことができるようにする。
【００２２】
レバー案内部２６は、シャンク案内部２５の先端の出入り口開口から後方に後退した位置が出入り口開口の先端となるよう段差を付ける。この段差部３０において長尺操作レバー２３は露出する。しかし、どんな伸縮状態でも、操作レバーの遊端はレバー案内部２６内部に収納されたままとなる。
【００２３】
本発明光ファイバコネクタ用接続プラグ着脱工具２０によれば、架台局外側の作業のようにアダプタ５が奥深く狭い箇所に存在する場合には、溝付きシャンク２１をグリップ部２４から引き出し、伸ばした状態（図４参照）で作業を行う。架台局内側の作業のようにアダプタ５が露出していてアクセスし易い場合は、溝付きシャンクをグリップ部２４内に引っ込んだ短い状態（図５参照）にして作業を行う。
【００２４】
作業にあたり、グリップ部２４の段差部３０において、作業員がばね９のばね力に抗して両側における長尺操作レバー２３の基端側の操作部２３Ａ（図４の（ｂ）参照）又は２３Ａ′（図５の（ｂ）参照）をつまんで先端フック２３Ｂを外方に変位させることにより、溝付きシャンク２１の溝内部空間３１に光ファイバコード２の接続プラグ４を収容する。次に、長尺操作レバー１３の基端側の操作部２３Ａ又は２３Ａ′を解放し、先端フック２３Ｂを接続プラグ４の側面のフック収容窪み１２に掛合させる（図４又は図５の（ｃ）参照）。これにより、接続プラグ４をこの着脱工具にしっかり固定することができ、この状態で光ファイバコネクタのアダプタ１５の受け口に対して着脱することができる。
【００２５】
図６には、図示しない架台（光ＦＴＭ架）に固定するアダプタの両側の受け口に光ファイバコード２の接続プラグ４、４′を装着した状態を示す。例えば、接続プラグ４側が局内側である場合には、本発明接続プラグ着脱工具２０を図５に示す短い状態にして着脱作業をし、接続プラグ４′側がアクセスしにくい局外側である場合には図４に示す長い状態にして着脱作業をする。
【００２６】
図４及び図５の実施の形態では、錠止突起を２カ所設けた実施例を示したが、２カ所以上設けることもできる。図７には、図４及び図５の実施の形態におけるロック機構２７の詳細を示し、溝付きシャンク２１の延長部２２が錠止突起２８によってシャンク案内部２５に所定位置でロックされたロック状態（図７の（ａ）参照）と、このロック状態を釈放ボタン２９によって解除する釈放状態（図７の（ｂ）参照）とを示す。釈放状態では延長部２２即ち、溝付きシャンク２１を伸縮することができる。
【００２７】
【発明の効果】
本発明接続プラグ着脱工具によれば、狭くて奥深くアクセスが困難な箇所での線番確認及び着脱作業を余儀なくされる局外側の作業も、溝付きシャンクを伸張状態にロックすることにより、また、アクセス及び作業が容易な箇所では、溝付きシャンクを収縮させた状態にロックすることにより、いかなる状況にも対応して作業性のよい接続プラグ着脱を行うことができる。
【００２８】
更に、本発明接続プラグ着脱工具によれば、操作レバーの基端側の操作部はグリップ部の外方に張り出すことはなく、グリップ部の先端の段差部でレバー操作するようにし、操作レバーの遊端はレバー案内部内に収容されたままであるため、特に、接続プラグの取り外し作業の際に操作レバーが他のコードを引っかける恐れは全くなく、安全に作業することができるようになる。
【図面の簡単な説明】
【図１】従来技術の接続プラグ着脱工具の説明図であり、（ａ）は非使用状態の側面図、（ｂ）は非使用状態の平面図、（ｃ）は接続プラグ装着時の使用状態の平面図、（ｄ）は接続プラグ引き抜き時の使用状態の平面図である。
【図２】接続プラグの実施例の（ａ）は斜視図、（ｂ）は平面図である。
【図３】着脱工具を使用して接続プラグを着脱するアダプタの説明図であり、（ａ）は斜視図、（ｂ）は端面図、（ｃ）は一部断面とする側面図である。
【図４】本発明光ファイバコネクタ用接続プラグ着脱工具の好適な実施の形態の長く伸張させた状態の説明図であり、（ａ）は非使用状態の側面図、（ｂ）は非使用状態の平面図、（ｃ）は使用状態の平面図である。
【図５】本発明光ファイバコネクタ用接続プラグ着脱工具の好適な実施の形態の短く収縮させた状態の説明図であり、（ａ）は非使用状態の側面図、（ｂ）は非使用状態の平面図、（ｃ）は使用状態の側面図である。
【図６】図示しない架台（光ＦＴＭ架）に固定するアダプタの両側の受け口に光ファイバコードの接続プラグを装着した状態を示す縦断面図である。
【図７】本発明光ファイバコネクタ用接続プラグ着脱工具のロック機構の詳細を示す拡大縦断面図であり、（ａ）はロック状態、（ｂ）はロック解除状態を示す。
【符号の説明】
１  接続プラグ着脱工具（従来技術）
２  光ファイバコード
３  終端部
４  接続プラグ
５  アダプタ
６  フォーク状部
７  溝付きシャンク
８  枢着軸
９  ばね
１０  先端フック
１１  溝孔
１２  フック収容窪み
１３  操作レバー
１３Ａ  操作部
１４  グリップ部
１５  ラッチ
１６  フォーク状部
１８  枢着軸
２０  接続プラグ着脱工具（本発明）
２１  溝付きシャンク
２２  延長部
２３  長尺操作レバー
２３Ａ，２３Ａ′  操作部
２３Ｂ  先端フック
２４  グリップ部
２５  シャンク案内部
２６  レバー案内部
２７  ロック機構
２８  錠止突起
２９  釈放ボタン
３０  段差部
３１  溝内部空間
【図１】
2004341418.tif 000003
【図２】
2004341418.tif 000004
【図３】
2004341418.tif 000005
【図４】
2004341418.tif 000006
【図５】
2004341418.tif 000007
【図６】
2004341418.tif 000008
【図７】
2004341418.tif 000009